(57)【要約】【課題】収納機器を実装したまま容易にラックをラック設置場所に設置し且つ固定が簡単なラック設置方法を提供する。【解決手段】ラック１の底面に取り付けたキャスター２と、ラック１設置場所のフリーアクセスパネル４に埋め込まれるキャスター受け３であってフリーアクセスパネル４の面から内部へ誘導用のスロープ３ａと誘導用のスロープ３ａの先に備えたキャスター取囲部３ｂからなるキャスター受け３を備え、キャスター受け３をフリーアクセスパネル４に埋め込んだ状態で、ラック１の底面に取り付けたキャスター２を、キャスター受け３の誘導用のスロープ３ａを介してキャスター取囲部３ｂに移動することでラック１をラック設置場所に設置し且つ固定する。【選択図】図１
2008103391.tif 000002
【特許請求の範囲】
【請求項１】
ラックの底面に取り付けたキャスターと、ラック設置場所のフリーアクセスパネルに埋め込まれるキャスター受けであって前記フリーアクセスパネルの面から内部へ誘導用のスロープと該誘導用のスロープの先に備えたキャスター取囲部からなるキャスター受けを備え、該キャスター受けを前記フリーアクセスパネルに埋め込んだ状態で、前記ラックの底面に取り付けたキャスターを、前記キャスター受けの前記誘導用のスロープを介して前記キャスター取囲部に移動することで前記ラックを前記ラック設置場所に設置し且つ固定することを特徴とするラック設置方法。
【発明の詳細な説明】
【技術分野】
【０００１】
本発明は、電子機器等機器収納用のラック設置方法に関する。
【背景技術】
【０００２】
図７は、従来のラック設置方法を説明する図である（発明公知文献に係るものではない）。図７において、１はラック、５は移動用の台車、６は移動用の台車５の底面に取り付けたキャスターである。
【０００３】
図７は、ラック１が移動用の台車５上にのせた状態にあり、ラック１をラック設置場所に移動したい場合、従来は、ラック１を移動用の台車５上にのせ、のせた状態で、ラック１をラック設置場所まで移動し、移動後に、移動用の台車５を取り外していた。
【０００４】
なお、ラック（架筺体）の底面にキャスターを取り付けた特許文献が、例えば特許文献１に開示されている。
【０００５】
【特許文献１】実開平５−５３２９２号公報
【発明の開示】
【発明が解決しようとする課題】
【０００６】
従来のラック設置方法は、ラック１を移動用の台車５にのせて設置場所まで移動していた。この場合ラック１を移動用の台車５にのせるために、ラック１に収納している図示していない電子機器等機器のケーブル等の接続を外してから、電子機器等機器を取り外して、重量を軽減する必要があった。また、ラック１を設置場所まで移動した後には、ラック１を設置場所に固定するために、移動用の台車５を取り外す必要があった。しかも、取り外した電子機器等機器を再度実装し、且つケーブルを接続しなければならなかった。
【０００７】
なお、特許文献１は、架筺体の底面にキャスターを備え、架筺体の固定構造として、事前に底面板を床に固定し、この底面板の係合孔に対して、架筐体のキャスターを利用して移動させることにより、架筐体の底面に取り付けた係合片を係合させ、しかるのち、この係合片の係合孔に閂部材を係合させて、架筐体を固定することで、固定にあたり、架筐体を持ち上げおよびねじ締めを不要とし、このため架筐体が破損、転倒することなく、容易に固定できると共に、保守時の移動も容易となる。
【０００８】
しかし、係合孔を設けた底面板を用意して床に固定するだけでなく、架筺体の底面に係合片を取付けておき、架筐体を、キャスターを利用して移動させた際に、架筺体の係合片を底面板の係合孔に係合させなければならず、且つ係合後に、別に用意した閂部材を係合片の係合孔に係合させなければならない。
【０００９】
したがって、架筺体の固定のために多くの部材を用意する必要があるばかりでなく、架筺体の係合片を底面板の係合孔にうまく係合させなければならず、且つ係合後に、別に用意した閂部材を係合片の係合孔に係合させなければならないので、固定作業の改善が要望される。
【００１０】
本発明の目的は、収納機器を実装したまま容易にラックをラック設置場所に設置し且つ固定が簡単なラック設置方法を提供することにある。
【課題を解決するための手段】
【００１１】
本発明は、ラックの底面に取り付けたキャスターと、設置位置のフリーアクセスパネルに埋め込まれるキャスター受けであって前記フリーアクセスパネルの面から内部へ誘導用のスロープと該誘導用のスロープの先に備えたキャスター取囲部からなるキャスター受けを備え、該キャスター受けを前記フリーアクセスパネルに埋め込んだ状態で、前記ラックの底面に取り付けたキャスターを、前記キャスター受けの前記誘導用のスロープを介して前記キャスター取囲部に移動することで前記ラックを前記ラック設置場所に設置し且つ固定することを特徴とする。
【発明の効果】
【００１２】
本発明によれば、収納機器を実装したまま容易にラックをラック設置場所に設置し且つ固定が簡単なラック設置方法を得ることができる。
【発明を実施するための最良の形態】
【００１３】
本発明に係る実施の形態について、図１〜図６を用いて説明する。
【００１４】
図１は、本発明によるラック設置方法を説明する図である。図２は、本発明によるラックのキャスター部分の正面図である。図３は、本発明によるキャスター受けの実施の形態の平面図である。図４は、本発明によるキャスター受けの実施の形態で図３の横中央断面図である。図５は、本発明によるキャスター受けをラック設置場所のフリーアクセスパネルに埋め込んだ状態の断面図である。図６は、本発明によるラックの正面図である。
【００１５】
本発明は、図６の本発明によるラックの正面図、図２の本発明によるラックのキャスター部分の平面図（拡大図）に示すように、ラック１の底面にキャスター２を取り付けた。
【００１６】
また本発明は、このキャスター２に対応して、図３の本発明によるキャスター受けの実施の形態の平面図、図４の本発明によるキャスター受けの実施の形態で図３の横中央断面図に示すように、キャスター受け３を備えた。このキャスター受け３は、内部へ誘導用のスロープ３ａと誘導用のスロープ３ａの先に備えたキャスター取囲部３ｂからなる。このキャスター取囲部３ｂは、図３，図４においては、図示のように、誘導用のスロープ３ａの先に連設の水平壁と水平壁に連設して水平壁を取り囲む垂直壁からなる。
【００１７】
キャスター受け３は、図５に示すように、ラック設置場所のフリーアクセスパネル４に埋め込まれ、キャスター受け３の上面がフリーアクセスパネル４の面に一致させて埋め込まれている。また、キャスター取囲部３ｂは、ラック１移動後のラック設置場所におけるキャスター２の位置になるよう、キャスター受け３が、ラック設置場所のフリーアクセスパネル４に埋め込まれている。
【００１８】
ラック１を移動してラック設置場所に設置するときは、図１に示すように、ラック１の底面に取り付けたキャスター２を、キャスター受け３の誘導用のスロープ３ａに当接させ、ラック１を内部へ押し込んで、キャスター２をキャスター取囲部３ｂに移動させる。このことで、ラック１をラック設置場所に設置し且つ固定する。図１においては、ラック１の底面に取り付けたキャスター２を、キャスター取囲部３ｂの水平壁に当接させるとともに、水平壁を取り囲む垂直壁のうちの前方垂直壁にも当接させて、ラック１をラック設置場所に設置し且つ確実に固定する。
【００１９】
なお、キャスター受け３の誘導用のスロープ３ａおよびキャスター取囲部３ｂの大きさおよび形状は、ラック１に取り付けたキャスター２の大きさおよび形状に応じたものであることは言うまでもない。
【００２０】
本実施の形態によれば、ラックを、ラックに取り付けたキャスターにより、容易に、ラック設置場所のフリーアクセスパネルに埋め込んだキャスター受けのキャスター取囲部に移動することができることから、収納した電子機器等機器を取り外す必要がなく、実装したままラック設置場所に設置でき、且つキャスター取囲部で固定でき、固定が簡単であることから、ラック設置後の固定等の作業を必要とせず、作業効率を上げることができる。さらに、キャスター受けのスロープによりラックに衝撃を与えることなくラックを容易にラック設置場所へ移動することができる。
【図面の簡単な説明】
【００２１】
【図１】本発明によるラック設置方法を説明する図である。
【図２】本発明によるラックのキャスター部分の正面図である。
【図３】本発明によるキャスター受けの実施の形態の平面図である。
【図４】本発明によるキャスター受けの実施の形態で図３の横中央断面図である。
【図５】本発明によるキャスター受けをラック設置場所のフリーアクセスパネルに埋め込んだ状態の断面図である。
【図６】本発明によるラックの正面図である。
【図７】従来のラック設置方法を説明する図である。
【符号の説明】
【００２２】
１：ラック、２：キャスター、３：キャスター受け、３ａ：誘導用のスロープ、３ｂ：キャスター取囲部、４：フリーアクセスパネル、５：移動用の台車、６：キャスター。
【図１】
2008103391.tif 000003
【図２】
2008103391.tif 000004
【図３】
2008103391.tif 000005
【図４】
2008103391.tif 000006
【図５】
2008103391.tif 000007
【図６】
2008103391.tif 000008
【図７】
2008103391.tif 000009